(57)【要約】【課題】気泡の混在する液体を用いなくとも、配管内に溜まった異物を洗浄することのできる配管内洗浄方法を提供する。【解決手段】連結用配管１３によって、第１配管１１の第２開口部１１ｂと、第２配管１２の第２開口部１２ｂとを連結することで、第１配管１１と第２配管１２とを連通させ、連結されていない第１配管１１の第１開口部１１ａにラプチャーディスクを設置し、第２配管１２の第１開口部１２ａは完全に蓋をした状態とし、連通した各配管１１，１２，１３内の空気を蓄圧し、配管１１，１２，１３内が規定圧力となると、自動的にラプチャーディスクが破砕し、第１配管１１の第１開口部１１ａから圧縮空気が噴き出すようにしたので、気泡の混在する液体を用いなくとも、配管内に溜まった異物を洗浄することのできる配管内洗浄方法を提供することができる。【選択図】図１
2014171936.tif 000002
【特許請求の範囲】
【請求項１】
それぞれ２つの開口部を備える複数の配管の、当該開口部同士を、連結用の管によって連結することで、当該複数の配管を直列に連通させ、
直列に連通した前記複数の配管の両端部に位置する、連結されていない２つの開口部のうち、
一方を、開放用開口部として、連通した前記複数の配管内の圧力が規定圧力となると開放するように塞ぎ、
他方を完全に塞ぎ、
連通した前記複数の配管内に、流体を前記規定圧力となるまで蓄圧し、前記開放用開口部から当該流体を開放することで、
前記配管内の洗浄を行う
ことを特徴とする配管内洗浄方法。
【請求項２】
前記配管内の洗浄を１サイクルとし、
前記複数の配管にそれぞれ備わる２つの開口部のうち、それぞれ少なくとも１つずつの開口部を、順に前記開放用開口部として、前記１サイクルを繰り返し行う
ことを特徴とする請求項１に記載の配管内洗浄方法。
【発明の詳細な説明】
【技術分野】
【０００１】
本発明は、配管内洗浄方法に関する。
【背景技術】
【０００２】
従来の配管系統の洗浄は、配管に設けられている開口部を塞いだ状態で、前記配管内に空気を張り込み、蓄圧した後、前記開口部を急に開放して、その際の空気の流れにより、前記配管の内部を洗浄するという方法が採られている。以下、当該方法を具体的に説明する。
【０００３】
図３は、配管系統の概略図である。当該図に示すように、配管３１は、洗浄時に使用する開口部として、第１開口部３１ａ及び第２開口部３１ｂを有するものとする。第１開口部３１ａ及び第２開口部３１ｂのような開口部は、初めから配管内の洗浄用として設けられているものと、通常操業中は他の装置又は配管等に接続されており、洗浄時に取り外して開口部とすることが可能なものとがある。
【０００４】
上記方法では、まず、第１開口部３１ａにラプチャーディスク（又はガスケットチャート。以下同様）を設置し、第２開口部３１ｂは完全に蓋をした状態で、配管３１内の空気を蓄圧する。そして、配管３１内が規定圧力となると、自動的にラプチャーディスクが破砕し、第１開口部３１ａから圧縮空気が噴き出すようになっている。
【先行技術文献】
【特許文献】
【０００５】
【特許文献１】特開２００３−０６２５３３号公報
【特許文献２】特開２００５−３４９３７４号公報
【発明の概要】
【発明が解決しようとする課題】
【０００６】
図４は、従来の配管内の洗浄を説明する模式図である。当該図中の白抜き矢印は、開放された圧縮空気の流れる方向を示している。開放された圧縮空気の流速は、開放した開口部で最も大きくなり、反対側の開口部で最も小さくなる。
【０００７】
このとき、第１開口部３１ａと第２開口部３１ｂとのどちらを開放するかは自由に選べる。そのため、図４（ａ）のように、第１開口部３１ａにラプチャーディスクを設け、第２開口部３１ｂは完全に蓋をした状態として、第１開口部３１ａから圧縮空気を開放し、その後さらに、図４（ｂ）のように、第２開口部３１ｂにラプチャーディスクを設け、第１開口部３１ａは完全に蓋をした状態として、第２開口部３１ｂから圧縮空気を開放してもよい。このように両方向の洗浄を行うことにより、配管３１の開口部３１ａ，３１ｂ付近は十分に洗浄される。
【０００８】
しかしながら、上記方法では、図４（ａ）（ｂ）において破線枠Ｃで囲まれた配管３１の中央近傍領域での、圧縮空気の流速が、第１開口部３１ａと第２開口部３１ｂのいずれを開放する場合も小さくなり、当該領域では異物が溜まりやすくなってしまう。
【０００９】
上記特許文献１では、配管内の洗浄用液体に微細な気泡を白濁混在させる技術が開示されている。
【００１０】
上記特許文献２では、さらに、配管内の洗浄用液体に気泡を打ち込む際の圧力又は時間の制御、あるいは、上記気泡を打ち込む管の角度変更を行う技術が開示されている。
【００１１】
本発明では、気泡の混在する液体を用いなくとも、配管内に溜まった異物を洗浄することのできる配管内洗浄方法を提供することを目的とする。
【課題を解決するための手段】
【００１２】
上記課題を解決する第１の発明に係る配管内洗浄方法は、
それぞれ２つの開口部を備える複数の配管の、当該開口部同士を、連結用の管によって連結することで、当該複数の配管を直列に連通させ、
直列に連通した前記複数の配管の両端部に位置する、連結されていない２つの開口部のうち、
一方を、開放用開口部として、連通した前記複数の配管内の圧力が規定圧力となると開放するように塞ぎ、
他方を完全に塞ぎ、
連通した前記複数の配管内に、流体を前記規定圧力となるまで蓄圧し、前記開放用開口部から当該流体を開放することで、
前記配管内の洗浄を行う
ことを特徴とする。
【００１３】
上記課題を解決する第２の発明に係る配管内洗浄方法は、
上記第１の発明に係る配管内洗浄方法において、
前記配管内の洗浄を１サイクルとし、
前記複数の配管にそれぞれ備わる２つの開口部のうち、それぞれ少なくとも１つずつの開口部を、順に前記開放用開口部として、前記１サイクルを繰り返し行う
ことを特徴とする。
【発明の効果】
【００１４】
上記第１の発明に係る配管内洗浄方法によれば、複数の配管を直列に連通させ、配管内の洗浄を行うので、互いに単独では十分な洗浄力が得られなかった各配管の中央近傍領域についても、流速が増加し、洗浄力を向上させることができ、気泡の混在する液体を用いなくとも、配管内に溜まった異物を洗浄することができる。
【００１５】
上記第２の発明に係る配管内洗浄方法によれば、さらに、複数の配管にそれぞれ備わる２つの開口部のうち、それぞれ少なくとも１つずつの開口部を、順に前記開放用開口部として、上記１サイクルを繰り返し行うので、より配管内に溜まった異物を洗浄することができる。
【図面の簡単な説明】
【００１６】
【図１】本発明の実施例１に係る配管内洗浄方法を説明する模式図である。（ａ）は、一方の開口部から圧縮空気を開放した場合を、（ｂ）は、他方の開口部から圧縮空気を開放した場合を、それぞれ表している。
【図２】本発明の実施例２に係る配管内洗浄方法を説明する模式図である。
【図３】配管系統の概略図である。
【図４】従来の配管内の洗浄を説明する模式図である。（ａ）は、一方の開口部から圧縮空気を開放した場合を、（ｂ）は、他方の開口部から圧縮空気を開放した場合を、それぞれ表している。
【図５】従来の様々な形状の配管内の洗浄を説明する模式図である。（ａ）は合流管が連通する配管を、（ｂ）はエルボ配管を、それぞれ表している。
【発明を実施するための形態】
【００１７】
以下、本発明に係る配管内洗浄方法を実施例にて図面を用いて説明する。
【実施例１】
【００１８】
本発明の実施例１に係る配管内洗浄方法は、洗浄時に複数の配管を連通させ、まとめて洗浄することで、各配管の中央近傍領域の圧縮空気の流速を増加させ、異物を洗浄するものである。以下、本発明の実施例１に係る配管内洗浄方法について図面を用いて説明する。
【００１９】
図１は、本発明の実施例１に係る配管内洗浄方法を説明する模式図である。図１（ａ）は、一方の開口部から圧縮空気を開放した場合を、図１（ｂ）は、他方の開口部から圧縮空気を開放した場合を、それぞれ表している。
【００２０】
まず、本方法では、図１（ａ）に示すように、連結用配管１３によって、第１配管１１の第２開口部１１ｂと、第２配管１２の第２開口部１２ｂとを連結することで、第１配管１１と第２配管１２とを連通させる。
【００２１】
次に、連結されていない第１配管１１の第１開口部１１ａにラプチャーディスクを設置し（以下、ラプチャーディスクを設置する開口部を開放用開口部と記載することもある）、第２配管１２の第１開口部１２ａは完全に蓋をした状態とし、連通した各配管１１，１２，１３内の空気を蓄圧する。そして、配管１１，１２，１３内が規定圧力となると、自動的にラプチャーディスクが破砕し、第１配管１１の第１開口部１１ａから圧縮空気が噴き出す。
【００２２】
これにより、図１（ａ）において破線枠Ａで囲まれる第１配管１１の中央近傍領域が、相対的に第１開口部１１ａに近くなり、当該領域での圧縮空気の流速が増加し、第１配管１１の中央近傍領域の異物を洗浄することができる。以上を本方法の１サイクルとする。
【００２３】
その後さらに、図１（ｂ）に示すように、第２配管１２の第１開口部１２ａを開放用開口部とし、上記１サイクルを行う。
【００２４】
すなわち、第２配管１２の第１開口部１２ａにラプチャーディスクを設置し、第１配管１１の第１開口部１１ａは完全に蓋をした状態とし、連通した配管１１，１２，１３内の空気を蓄圧する。そして、配管１１，１２，１３内が規定圧力となると、自動的にラプチャーディスクが破砕し、第２配管１２の第１開口部１２ａから圧縮空気が噴き出す。
【００２５】
これにより、図１（ｂ）において破線枠Ｂで囲まれる第２配管１２の中央近傍領域が、相対的に第１開口部１２ａに近くなり、当該領域での圧縮空気の流速を増加させることができ、第２配管１２の中央近傍領域の異物を洗浄することができる。
【００２６】
本方法では、上記のように配管内の洗浄を行うことで、互いに単独では十分な洗浄力が得られなかった各配管の中央近傍領域についても、流速が増加し、洗浄力を向上させることができる。
【００２７】
上述では、連結用配管１３が、第１配管１１の第２開口部１１ｂと、第２配管１２の第２開口部１２ｂとを連通させているが、本方法はこれに限定されるものではなく、第１配管１１と第２配管１２とが、互いのいずれかの開口部同士が連結されることにより、連通した状態となればよい。
【００２８】
また、上述では、連結用配管１３によって、第１配管１１と第２配管１２の２つの配管を連通しているが、本方法はこれに限定されるものではなく、１つ以上の連結用配管によって、複数の配管を連通させるものであればよい。その際、複数の配管それぞれの中央近傍領域を洗浄するため、それぞれ少なくとも１つずつの開口部を、順に上記開放用開口部として、上記１サイクルを繰り返し行うようにすればよい。
【００２９】
さらに、上述では、各配管１１，１２，１３内に蓄圧する対象を空気としたが、本方法はこれに限定されるものではなく、流体であればよい。
【００３０】
以上、本発明の実施例１に係る配管内洗浄方法について説明したが、換言すれば、本方法は、それぞれ２つの開口部を備える複数の配管の、当該開口部同士を、連結用の管によって連結することで、当該複数の配管を直列に連通させ、直列に連通した複数の配管の両端部に位置する、連結されていない２つの開口部のうち、一方を、開放用開口部として、連通した複数の配管内の圧力が規定圧力となると開放するように塞ぎ、他方を完全に塞ぎ、連通した複数の配管内に、流体を前記規定圧力となるまで蓄圧し、開放用開口部から当該流体を開放することで、配管内の洗浄を行うものである。
【００３１】
さらに、前記配管内の洗浄を１サイクルとし、上記複数の配管にそれぞれ備わる２つの開口部のうち、それぞれ少なくとも１つずつの開口部を、順に上記開放用開口部として、上記１サイクルを繰り返し行うようにしてもよい。
【００３２】
以上のようにして、本発明の実施例１に係る配管内洗浄方法では、気泡の混在する液体を用いなくとも、配管内に溜まった異物を洗浄することができる。
【実施例２】
【００３３】
図５は、従来の様々な形状の配管内の洗浄を説明する模式図である。図５（ａ）は合流管が連通する配管を、図５（ｂ）はエルボ配管を、それぞれ表している。また、図５（ａ）（ｂ）では、各配管内の圧縮空気の流速分布を白黒グラデーションで示しており、流速の大きい部分を白色、流速の小さい部分を黒色で表している。
【００３４】
図５（ａ）に示すように、配管３１に合流管３２が連通する場合、接続部分近傍において、流速の小さい領域（当該図中の黒色部分）ができてしまう。また、図５（ｂ）に示すように、エルボ配管３３のカーブ内側においても、流速の小さい領域（同上）ができてしまう。
【００３５】
上述のように、合流管３２が連通する配管３１やエルボ配管３３の場合、洗浄時の空気が偏流し、流速の小さい領域が生じる。このような領域では、十分な洗浄が得られず、異物が溜まってしまう。
【００３６】
本発明の実施例２に係る配管内洗浄方法は、実施例１における第１配管１１あるいは第２配管１２が、上述の合流管３２が連通する配管３１やエルボ配管３３のような形状である場合に、流速の小さい領域の異物を洗浄するものである。
【００３７】
本発明の実施例２に係る配管内洗浄方法について図面を用いて説明する。図２は、本方法を説明する模式図であり、当該図中の矢印は、圧縮空気の流れを示している。
【００３８】
本方法では、図２に示すように、第１配管１１（あるいは第２配管１２）内に遮蔽板２１を挿入する。このようにすることで、当該図中の矢印のように、圧縮空気の流速分布が変化し、上述のような流速の小さい領域の流速が増加し、当該部分の洗浄力が向上する。
【００３９】
なお、図２では、第１配管１１（あるいは第２配管１２）を、合流管が連通する配管の形状として説明しているが、エルボ配管の形状であっても、遮蔽板２１を挿入することで、同様の効果を得ることができる。
【００４０】
さらに、上述では配管内の洗浄に空気を用いているが、本方法はこれに限定されるものではなく、配管内の洗浄には流体を用いればよい。
【００４１】
以上のようにして、本発明の実施例２に係る配管内洗浄方法では、様々な形状の各配管において、局所的に流れが滞留していた領域の流速を増加させ、洗浄力を向上させることができる。
【産業上の利用可能性】
【００４２】
本発明は配管内洗浄方法として好適である。
【符号の説明】
【００４３】
１１  第１配管
１１ａ  （第１配管の）第１開口部
１１ｂ  （第１配管の）第２開口部
１２  第２配管
１２ａ  （第２配管の）第１開口部
１２ｂ  （第２配管の）第２開口部
１３  連結用配管
２１  遮蔽板
３１  配管
３１ａ  （配管の）第１開口部
３１ｂ  （配管の）第２開口部
３２  合流管
３３  エルボ配管
【図１】
2014171936.tif 000003
【図２】
2014171936.tif 000004
【図３】
2014171936.tif 000005
【図４】
2014171936.tif 000006
【図５】
2014171936.tif 000007